(57)【特許請求の範囲】
【請求項１】
通信端末である親局及び子局のそれぞれと無線通信ネットワークを介して信号の送受信を行う無線通信部と、
無線通信ネットワークにおいて前記親局と前記子局との間で無線通信を行うための登録設定に関する情報を中継する登録中継処理を行うプロセッサとを備え、
前記プロセッサは、
前記無線通信部が、前記親局が前記子局からの登録設定を受け付け可能な状態であることを示す第１信号を前記親局から受信した場合、前記親局が登録設定モードであることを検出し、
前記無線通信部が、前記子局が前記親局に対して前記登録設定を要求していることを示す第２信号を前記子局から受信した場合、前記子局が登録設定モードであることを検出し、
前記親局及び前記子局の両方が前記登録設定モードであることを検出した場合に、前記無線通信部を介して、前記第１信号を前記子局に送信し、前記第２信号を前記親局に送信する、
無線中継装置。
【請求項２】
前記プロセッサは、
前記親局の登録設定モードを検出した後、所定時間内に前記子局の登録設定モードを検出したとき、前記登録中継処理を行う、
請求項１記載の無線中継装置。
【請求項３】
前記プロセッサは、
前記子局の登録設定モードを検出した後、所定時間内に前記親局の登録設定モードを検出したときに、前記登録中継処理を行う、
請求項１記載の無線中継装置。
【請求項４】
更に、
前記登録中継処理開始のユーザ指示を受け付けるユーザ指示受付部を備え、
前記プロセッサは、
前記登録中継処理を、前記ユーザ指示受付部において前記ユーザ指示が受け付けられ、且つ、前記親局及び前記子局の登録設定モードを検出した場合に行う、
請求項１記載の無線中継装置。
【請求項５】
前記無線通信はIEEE802.11無線LAN標準規格である、
請求項１記載の無線中継装置。
【請求項６】
前記登録設定に、Wi-Fi (Wireless Fidelity)アライアンス規定のWPS (Wi-Fi Protected Setup)を用いる、
請求項５記載の無線中継装置。
【請求項７】
無線通信端末である親局と子局との間の無線通信を中継する無線中継装置が行う無線中継方法であって、
前記親局及び前記子局のそれぞれと無線通信ネットワークを介して信号の送受信を行い、
無線通信ネットワークにおいて前記親局と前記子局との間で無線通信を行うための登録設定に関する情報を中継する登録中継処理を行い、
前記登録中継処理において、
前記親局が前記子局からの登録設定を受け付け可能な状態であることを示す第１信号が前記親局から受信された場合、前記親局が登録設定モードであることを検出し、
前記子局が前記親局に対して前記登録設定を要求していることを示す第２信号が前記子局から受信された場合、前記子局が登録設定モードであることを検出し、
前記親局及び前記子局の両方が前記登録設定モードであることを検出した場合に、前記第１信号を前記子局に送信させ、前記第２信号を前記親局に送信させる、
無線中継方法。
【請求項８】
無線通信端末である親局と子局との間の無線通信を中継する無線中継装置によって行われるプログラムであって、
前記親局及び前記子局のそれぞれと無線通信ネットワークを介して信号の送受信を行い、
無線通信ネットワークにおいて前記親局と前記子局との間で無線通信を行うための登録設定に関する情報を中継する登録中継処理を行い、
前記登録中継処理において、
前記親局が前記子局からの登録設定を受け付け可能な状態であることを示す第１信号が前記親局から受信された場合、前記親局が登録設定モードであることを検出し、
前記子局が前記親局に対して前記登録設定を要求していることを示す第２信号が前記子局から受信された場合、前記子局が登録設定モードであることを検出し、
前記親局及び前記子局の両方が前記登録設定モードであることを検出した場合に、前記第１信号を前記子局に送信させ、前記第２信号を前記親局に送信させる、
プログラム。
【発明の詳細な説明】
【技術分野】
【０００１】
本発明は、複数機器間の無線通信を中継する無線中継技術に関する。
【背景技術】
【０００２】
一般的に、無線ＬＡＮ（Local Area Network）用の親機又は基地局（以下、「アクセスポイント」と言う。）と、アクセスポイントを介して無線ＬＡＮに接続する無線ＬＡＮ端末（以下、「ステーション」と言う。）との間では、無線ＬＡＮ通信に先立って、無線ＬＡＮへの不正侵入を防止するための認証や、第三者への通信内容の漏えいを防止するための暗号鍵の設定などの登録設定が行われる。近年、この登録設定が無線で行われるようになってきている（例えば、特許文献１）。
【先行技術文献】
【特許文献】
【０００３】
【特許文献１】特許４３４６４１３号公報
【発明の概要】
【発明が解決しようとする課題】
【０００４】
ところで、従来から、アクセスポイントの無線通信エリア外に設けられたステーションを無線ＬＡＮに接続するために、アクセスポイントとステーションとを中継する無線中継装置が用いられている。
図２０に、一般的な無線中継装置が用いられる場合の登録設定の手順を示す。なお、本明細書及び図面において、アクセスポイントを「ＡＰ」、ステーションを「ＳＴＡ」と適宜表記する。
【０００５】
先ず、アクセスポイント１１とステーション１２との間（図２０（ａ））、アクセスポイント１１と無線中継装置１３との間（図２０（ｂ））でそれぞれ登録設定を行う。ここで、登録設定は、セキュリティーの観点から比較的狭い範囲内（登録設定エリア内）で行われる必要がある。そして、それぞれの登録設定が完了後、ステーション１２及び無線中継装置１３を実際の配置場所に移動させて、無線ＬＡＮ接続が正常に行われるかを確認する（図２０（ｃ））。
【０００６】
しかし、このような従来の登録設定の手順では、登録設定を行うために、ステーション１２をアクセスポイント１１の登録設定エリア内に移動させる必要がある。近年、自宅に設けられた様々な無線通信機能を有した電化製品などを無線ＬＡＮに接続させるニーズが高まっており、電化製品によっては移動させることが困難なものがある。そのため、ステーションを登録設定エリア内に移動させる必要のある従来の手順では、登録設定に労力を有する場合がある。
【０００７】
以上を鑑みて、本発明は、親局と子局との間の無線通信を中継する無線中継装置を設ける場合において、無線通信に先立つ登録設定を容易に行うことを可能とする無線中継装置を提供することを目的とする。
【課題を解決するための手段】
【０００８】
上記目的を達成するために本発明の無線中継装置は、通信端末である親局及び子局のそれぞれと無線通信ネットワークを介して信号の送受信を行う無線通信部と、無線通信ネットワークにおいて前記親局と前記子局との間で無線通信を行うための登録設定に関する情報を中継する登録中継処理を行うプロセッサとを備え、前記プロセッサは、前記無線通信部が、前記親局が前記子局からの登録設定を受け付け可能な状態であることを示す第１信号を前記親局から受信した場合、前記親局が登録設定モードであることを検出し、前記無線通信部が、前記子局が前記親局に対して前記登録設定を要求していることを示す第２信号を前記子局から受信した場合、前記子局が登録設定モードであることを検出し、前記親局及び前記子局の両方が前記登録設定モードであること検出した場合に、前記無線通信部を介して、前記第１信号を前記子局に送信し、前記第２信号を前記親局に送信する、ことを特徴とする。
【発明の効果】
【０００９】
上記の無線中継装置によれば、親局と子局との間の無線通信に先立つ登録設定を容易に行うことが可能となる。
【図面の簡単な説明】
【００１０】
【図１】実施の形態１の無線通信システム１の概要図。
【図２】実施の形態１の無線通信に先立つ登録設定の手順を説明する図。
【図３】アクセスポイント１００の構成図。
【図４】ステーション２００の構成図。
【図５】無線中継装置３００の構成図。
【図６】アクセスポイント１００と無線中継装置３００との間の登録設定に関する動作を示すシーケンスチャート。
【図７】無線中継装置３００を介した、アクセスポイント１００とステーション２００との間の登録設定に関する動作の一例を示すシーケンスチャート。
【図８】無線中継装置３００を介した、アクセスポイント１００とステーション２００との間の登録設定に関する動作の更に一例を示すシーケンスチャート。
【図９】無線中継装置３００における、アクセスポイント１００との間の登録設定に関する動作を示すフローチャート。
【図１０】無線中継装置３００における、アクセスポイント１００とステーション２００との間の登録設定の中継に関する動作を示すフローチャート。
【図１１】変形例（その１）における、無線中継装置３００を介した、アクセスポイント１００とステーション２００との間の登録設定に関する動作の一例を示すシーケンスチャート。
【図１２】変形例（その１）における、無線中継装置３００を介した、アクセスポイント１００とステーション２００との間の登録設定に関する動作の更に一例を示すシーケンスチャート。
【図１３】変形例（その２）における、無線中継装置３００を介した、アクセスポイント１００とステーション２００との間の登録設定に関する動作の一例を示すシーケンスチャート。
【図１４】実施の形態２のアクセスポイント４００の構成図。
【図１５】実施の形態２の無線中継装置５００の構成図。
【図１６】実施の形態２の登録設定に関する動作を示すシーケンスチャート。
【図１７】実施の形態３のアクセスポイント６００の構成図。
【図１８】実施の形態３の無線中継装置７００の構成図。
【図１９】実施の形態３の登録設定に関する動作を示すシーケンスチャート。
【図２０】無線通信システムに無線中継装置が用いられる場合における、無線通信に先立つ登録設定の一般的な手順を説明する図。
【発明を実施するための形態】
【００１１】
以下、本発明の実施の形態について、図面を参照しつつ説明する。
≪第１の実施の形態≫
図１は、本実施の形態の無線通信システム１の概要図である。
無線通信システム１は、アクセスポイント１００と、ステーション２００と、無線中継装置３００とを備えたＷｉ−Ｆｉ（Wireless Fidelity）通信システムである。なお、本実施の形態１では、一例として無線通信システム１をＷｉ−Ｆｉ通信システムとする場合について説明するが、無線通信システム１はその他の無線ＬＡＮにも適用可能である。
【００１２】
また、本実施の形態では、説明の都合上、無線通信システム１は図１に示すように、１つの無線中継装置３００と、１つのステーション２００とを備えるとして説明するが、これに限定されない。無線通信システム１は、ステーション２００を複数設けてもよいし、無線中継装置３００を複数設けてもよい。
また、無線通信システム１は、一例として登録設定にＷＰＳ（Wi-Fi Protected Setup）及びＷＰＡ（Wi -Fi Protected Access）を用いる場合について説明する。ＷＰＳは、Ｗｉ−Ｆｉ通信における暗号化設定の規格であり、ＷＰＡは、Ｗｉ−Ｆｉ通信における暗号化方式の一つである。無論、無線通信システム１は、その他の暗号化設定方法や暗号化方式が用いられる場合にも適用可能である。
【００１３】
アクセスポイント１００は、ブロードバンドルータ１０を介してインターネット２０と接続されている。
ステーション２００は、アクセスポイント１００の通信可能エリア１０１の外、且つ無線中継装置３００の通信可能エリア３０１の中に配置されており、無線中継装置３００を介してアクセスポイント１００と通信を行う。
【００１４】
無線中継装置３００は、アクセスポイント１００の通信可能エリア１０１の中に配置されている。
図２は、無線通信システム１のＷｉ−Ｆｉ通信に先立って行われる、本発明に係る登録設定の手順を説明する図である。
先ず、アクセスポイント１００と無線中継装置３００との間で登録設定を行う（図２（ａ））。登録設定完了後、必要に応じて無線中継装置３００を移動させ、アクセスポイント１００と無線中継装置３００との間の通信が正常に行われるか否かを確認する（図２（ｂ））。その後、無線中継装置３００を介して、アクセスポイント１００と、実際の使用位置に設けられているステーション２００との間の登録設定を行う。登録設定完了後、無線中継装置３００を介したアクセスポイント１００とステーション２００との間の通信が正常に行われるかを確認する（図２（ｃ））。
【００１５】
以下、アクセスポイント１００、ステーション２００、及び無線中継装置３００それぞれの構成と、登録設定に関する動作とについて説明する。
＜１−１．構成＞
図３は、アクセスポイント１００の構成図である。なお、図３に示す構成は、無線通信に先立つ登録設定に関する構成を示すものであって、その他の構成（例えば、登録設定後の無線通信処理や、ブロードバンドルータとの間の通信処理など）については省略する。
【００１６】
アクセスポイント１００は、ポート１１０、アンテナ１２０、登録指示受付部１３０、登録処理部１４０、信号生成部１５０、及び、信号解析部１６０を備える。
ポート１１０は、送信部１１１及び受信部１１２を備える。
なお、説明の都合上、アクセスポイント１００はポート１１０を１つ備えるとするがこれに限定されず、当然、アクセスポイント１００は複数のポート１１０を備える構成としてもよい。例えば、アクセスポイント１００は複数のポート１１０を備え、２．４ＧＨｚと５ＧＨｚの待ち受けをそれぞれのポート１１０で行うようにしてもよい。
【００１７】
送信部１１１は、信号生成部１５０で生成された信号や、登録処理部１４０で行われる登録設定に関する信号の送信処理を行って、アンテナ１２０に出力する機能を有する。
受信部１１２は、アンテナ１２０から入力された信号の受信処理を行い、信号解析部１６０に出力する機能を有する。
登録指示受付部１３０は、無線中継装置３００やステーション２００との間の登録設定を受け付けるトリガーであるユーザ操作、例えば、ＰＢＣ（Push Button Configuration）ボタン押下やＰＩＮ（Personal Identification Number）入力を受け付ける機能を有する。
【００１８】
なお、以下、アクセスポイント１００、ステーション２００、及び無線中継装置３００が、登録設定先の他の機器との登録設定を受け付ける状態を登録設定モードと言う。
登録処理部１４０は、無線中継装置３００やステーション２００との間の登録設定に関する処理を行う機能を有する。
ここで、登録処理部１４０が行う登録設定に関する処理とは、ＷＰＳの暗号化設定のプロトコル処理等であり、ＷＰＳで規定された各種メッセージの送受信等を行う処理（以下、ＷＰＳシーケンスと言う。）、及び、ＷＰＡの暗号鍵を生成及び交換するプロトコル処理等であり、ＷＰＡで規定された各種メッセージの送受信等を行う処理（以下、ＷＰＡシーケンスと言う。）の内、アクセスポイント１００側が行う処理である。
【００１９】
信号生成部１５０は、ビーコン（Beacon）やプローブレスポンス（Probe Response）などの信号を生成する機能を有する。なお、アクセスポイント１００が登録設定モードである場合には、ビーコンに登録設定モードであることを示す情報を付加する。
信号解析部１６０は、ポート１１０から出力された受信信号を解析する機能を有する。
具体的には、信号解析部１６０は、受信信号であるプローブリクエストを解析し、無線中継装置３００が登録設定モードであるか否かの判断を行う。また、登録設定モードでないと判断した場合には、そのプローブリクエストの破棄を行う。また、受信信号を解析して、登録設定に関する信号である場合にはその信号を登録処理部１４０に出力する処理などを行う。
【００２０】
図４は、ステーション２００の構成図である。なお、図４に示す構成は、無線通信に先立つ登録設定に関する構成を示すものであって、その他の構成（例えば、登録設定後の無線通信処理など）については省略する。
ステーション２００は、ポート２１０、アンテナ２２０、登録指示受付部２３０、登録処理部２４０、信号生成部２５０、及び、信号解析部２６０を備える。
【００２１】
ポート２１０は、送信部２１１及び受信部２１２を備える。
送信部２１１は、信号生成部２５０で生成された信号や、登録処理部２４０で行われる登録設定に関する信号の送信処理を行って、アンテナ２２０に出力する機能を有する。
受信部２１２は、アンテナ２２０から入力された信号の受信処理を行い、信号解析部２６０に出力する機能を有する。
【００２２】
登録指示受付部２３０は、アクセスポイント１００との間の登録設定を受け付けるトリガーであるユーザ操作、例えば、ＰＢＣボタン押下やＰＩＮ入力を受け付ける機能を有する。
登録処理部２４０は、アクセスポイント１００との間の登録設定に関する処理を行う機能を有する。
【００２３】
ここで、登録処理部２４０が行う登録設定に関する処理とは、ＷＰＳシーケンス及びＷＰＡシーケンスの内、ステーション２００側が行う処理である。
信号生成部２５０は、プローブリクエスト（Probe Request）などの信号を生成する機能を有する。なお、ステーション２００が登録設定モードである場合には、プローブリクエストに登録設定モードであることを示す情報を含める。
【００２４】
信号解析部２６０は、ポート２１０から出力された受信信号を解析する機能を有する。
具体的には、信号解析部２６０は、受信信号を解析して、登録設定に関する信号である場合にはその信号を登録処理部２４０に出力する処理などを行う。
図５は、無線中継装置３００の構成図である。
無線中継装置３００は、ポート３１０、アンテナ３２０、自機器登録指示受付部３３０、自機器登録処理部３４０、ステーション登録中継指示受付部３５０、ステーション登録中継処理部３６０、中継処理部３７０、信号生成部３８０、及び、信号解析部３９０を備える。
【００２５】
ポート３１０は、送信部３１１及び受信部３１２を備える。
なお、説明の都合上、無線中継装置３００はポート３１０を１つ備えるとするがこれに限定されず、当然、無線中継装置３００は複数のポート３１０を備える構成としてもよい。例えば、無線中継装置３００は複数のポート３１０を備え、アクセスポイント１００との通信と、ステーション２００との通信とを別個のポート３１０で行うようにしてもよい。
【００２６】
送信部３１１は、信号生成部３８０で生成された信号や、自機器登録処理部３４０で行われる登録設定に関する信号や、ステーション登録中継処理部３６０及び中継処理部３７０で行われる登録設定中継に関する信号の送信処理を行い、アンテナ３２０に出力する機能を有する。
受信部３１２は、アンテナ３２０から入力された信号の受信処理を行い、信号解析部３９０に出力する機能を有する。
【００２７】
自機器登録指示受付部３３０は、自機器とアクセスポイント１００との間の登録設定を受け付けるトリガーであるユーザ操作、例えば、ＰＢＣボタン押下やＰＩＮ入力を受け付ける機能を有する。
自機器登録処理部３４０は、自機器とアクセスポイント１００との間の登録設定に関する処理を行う機能を有する。
【００２８】
ここで、自機器登録処理部３４０が行う登録設定に関する処理とは、ＷＰＳシーケンス及びＷＰＡシーケンスの内、無線中継装置３００側が行う処理である。
ステーション登録中継指示受付部３５０は、アクセスポイント１００とステーション２００との間の登録設定を中継する処理を受け付けるトリガーであるユーザ操作、例えば、登録中継ボタンが押下を受け付ける機能を有する。
【００２９】
ステーション登録中継処理部３６０は、アクセスポイント１００とステーション２００との間の登録設定を中継する処理を行う機能を有する。具体的には、ＷＰＳシーケンスでアクセスポイント１００とステーション２００との間で送受信される信号を中継し、ＷＰＡシーケンスでアクセスポイント１００とステーション２００との間で送受信される信号を中継する。
【００３０】
中継処理部３７０は、アクセスポイント１００とステーション２００との登録設定完了後における、アクセスポイント１００とステーション２００との間の通信を中継する処理を行う機能を有する。
信号生成部３８０は、プローブリクエストなどの信号を生成する機能を有する。なお、無線中継装置３００が登録設定モードである場合には、プローブリクエストに登録設定モードであることを示す情報を含める。
【００３１】
信号解析部３９０は、ポート３１０から出力された受信信号を解析する機能を有する。
具体的には、信号解析部３９０は、ビーコンを解析し、ビーコンの送信元であるアクセスポイント１００が登録モードであるか否かの判断を行う。また、プローブリクエストを解析し、プローブリクエストの送信元であるステーション２００が登録モードであるか否かの判断を行う。また、登録設定モードでないと判断した場合には、そのビーコンやプローブリクエストの破棄を行う。また、受信信号を解析して、自機器登録処理部３４０や、ステーション登録中継処理部３６０や、中継処理部３７０に振り分ける処理などを行う。
【００３２】
＜１−２．全体動作＞
先ず、無線通信システム１の登録設定に関する一連の動作を説明する。
図６は、アクセスポイント１００と無線中継装置３００との間の登録設定の動作を示すシーケンスチャートである。
無線中継装置３００は、接続先であるアクセスポイント１００を探索する探索信号として、プローブリクエストを送信する（Ｓ１）。
【００３３】
プローブリクエストには、ＷＳＣ（Wi-Fi Simple Config）ＩＥ（Information Element）として、送信元自身が登録設定モードであるか否かを示す識別子Selected Registrarが含まれている。ステップＳ１では、無線中継装置３００が登録設定モードでないため、プローブリクエストにはSelected Registrar = " FALSE "が含まれる。
ステップＳ１を受けて、アクセスポイント１００は、プローブレスポンスを送信する（Ｓ２）。プローブレスポンスは、ＷＳＣ ＩＥとして、登録設定モードであるか否かを示す識別子Selected Registrarが含まれている。ステップＳ２では、アクセスポイント１００が登録設定モードでないため、プローブレスポンスにはSelected Registrar = " FALSE "が含まれる。
【００３４】
一方、アクセスポイント１００は、ビーコンを送信する（Ｓ３）。
ビーコンにもプローブレスポンスと同様に、ＷＳＣ ＩＥとして、登録設定モードであるか否かを示す識別子Selected Registrarが含まれている。ステップＳ３では、アクセスポイント１００が登録設定モードでないため、ビーコンにはSelected Registrar = " FALSE "が含まれる。
【００３５】
ステップＳ３を受けて、無線中継装置３００は、自身が登録設定モードでないため、ステップＳ３で受信したビーコンを破棄する（Ｓ４）。
ここで、アクセスポイント１００において、登録設定を受け付けるトリガーであるユーザ操作、例えば、ＰＢＣボタン押下やＰＩＮ入力が行われたとする（Ｓ５）。ステップＳ５により、ステップＳ５の後の所定時間の間、アクセスポイント１００は登録設定モードとなる。
【００３６】
ステップＳ５の後の登録設定モード状態において、アクセスポイント１００が送信するビーコンには（Ｓ６）、ＷＳＣ ＩＥとして、送信元が登録設定モードであることを示すSelected Registrar = " TRUE "が含まれる。また、ＷＳＣ ＩＥとして、登録の設定手段を示す情報Selected Registrar Configuration Methodsが含まれる（なお、本明細書及び図面では、一例として、ＰＢＣボタン押下又はＰＩＮ入力が成されたことを示す情報が含まれるものとして説明し、（PBC/PIN）と表記する）。
【００３７】
ステップＳ６を受けて、無線中継装置３００は、アクセスポイント１００が登録設定モードであることを検出する（Ｓ７）。
ここで、無線中継装置３００において、登録設定を受け付けるトリガーであるユーザ操作、例えば、ＰＢＣボタン押下やＰＩＮ入力が行われたとする（Ｓ８）。ステップＳ８により、ステップＳ８の後の所定時間の間、無線中継装置３００は登録設定モードとなる。
【００３８】
ステップＳ８の後の登録設定モード状態において、無線中継装置３００が送信するプローブリクエストには（Ｓ９）、ＷＳＣ ＩＥとして、送信元が登録設定モードであることを示すSelected Registrar = " TRUE "が含まれる。また、ＷＳＣ ＩＥとして、登録の設定手段を示す情報Selected Registrar Configuration Methodsが含まれる（なお、本明細書及び図面では、一例として、ＰＢＣボタン押下やＰＩＮ入力が成されたことを示す情報が含まれるものとして説明し、（PBC/PIN）と表記する）。また、ＷＳＣ ＩＥとして、自身の製造元等の機器情報（Device Information）が含まれる。
【００３９】
ステップＳ９を受けて、アクセスポイント１００は、応答信号としてプローブレスポンス（Probe Response）を無線中継装置３００に送信する（Ｓ１０）。
ステップＳ１０の後、アクセスポイント１００と無線中継装置３００との間では、ＷＰＳシーケンスの処理が行われ（Ｓ１１）、続いて、ＷＰＡシーケンスの処理が行われる（Ｓ１２）ことで、アクセスポイント１００と無線中継装置３００との間の登録設定処理が完了する。
【００４０】
図７は、無線中継装置３００を介したアクセスポイント１００とステーション２００との間の登録設定の動作の一例を示すシーケンスチャートである。
無線中継装置３００は、ステップＳ１１及びステップＳ１２の後、即ち、自身とアクセスポイント１００との間の登録設定が完了した後、アクセスポイント１００とステーション２００との間の中継処理が可能となる。
【００４１】
先ず、無線中継装置３００において、登録設定の中継処理を受け付けるトリガーであるユーザ操作、例えば、登録中継ボタンの押下が成されたとする（Ｓ１３）。ステップＳ１３により、ステップＳ１３の後の所定時間の間、無線中継装置３００は、アクセスポイント１００とステーション２００との間の登録設定を中継する登録中継モードとなる。
また、ステーション２００は、接続先を探索する探索信号として、プローブリクエストを送信する（Ｓ１４）。ステップＳ１４では、ステーション２００が登録設定モードでないため、プローブリクエストにはSelected Registrar = " FALSE "が含まれる。
【００４２】
ステップＳ１４を受けて、無線中継装置３００は、ステーション２００が登録設定モードでないため、ステップＳ１４で受信したプローブリクエストを破棄する（Ｓ１５）。
一方、アクセスポイント１００は、上記図６でも説明したようにビーコンを送信する（Ｓ３）。
ステップＳ３を受けて、無線中継装置３００は、アクセスポイント１００が登録設定モードでないため、ステップＳ３で受信したビーコンを破棄する（Ｓ１６）。
【００４３】
ここで、上記図６の説明と同様に、アクセスポイント１００において、登録設定を受け付けるトリガーであるユーザ操作が行われたとする（Ｓ５）。
ステップＳ５により、ＷＳＣ ＩＥとして、Selected Registrar = " TRUE "と、PBC/PINとを含むビーコンが送信される（Ｓ６）。
ステップＳ６を受けて、無線中継装置３００は、アクセスポイント１００が登録設定モードであることを検出する（Ｓ７）。
【００４４】
ここで、ステーション２００において、登録設定を受け付けるトリガーであるユーザ操作、例えば、ＰＢＣボタン押下やＰＩＮ入力が行われたとする（Ｓ１７）。ステップＳ１７により、ステップＳ１７の後の所定時間の間、ステーション２００は登録設定モードとなる。
ステップＳ１７の後の登録設定モード状態において、ステーション２００が送信するプローブリクエストには、ＷＳＣ ＩＥとして、送信元が登録設定モードであることを示すSelected Registrar = " TRUE "が含まれる。また、ＷＳＣ ＩＥとして、登録の設定手段を示す情報Selected Registrar Configuration Methodsが含まれる（なお、本明細書及び図面では、一例として、ＰＢＣボタン押下やＰＩＮ入力が成されたことを示す情報が含まれるものとして説明し、（PBC/PIN）と表記する。）また、ＷＳＣ ＩＥとして、自身の製造元等の機器情報（Device Information）が含まれる（Ｓ１８）。
【００４５】
ステップＳ１８を受けて、無線中継装置３００は、ステーション２００が登録設定モードであることを検出する（Ｓ１９）。
ステップＳ１９の後、即ち、無線中継装置３００において、アクセスポイント１００及びステーション２００のそれぞれの登録設定モード検出後、無線中継装置３００は、ステップＳ６のビーコンをステーション２００に転送し（Ｓ２０）、ステップＳ１８のプローブリクエストをアクセスポイント１００に転送する（Ｓ２１）。なお、ステップＳ２０とＳ２１の処理の順序は問わない。
【００４６】
ステップＳ２１を受けて、アクセスポイント１００は、応答信号としてプローブレスポンスを無線中継装置３００に送信し（Ｓ２２）、無線中継装置３００は、ステップＳ２２のプローブレスポンスをステーション２００に転送する（Ｓ２３）。
ステップＳ２３の後、無線中継装置３００は、ＷＰＳシーケンスでアクセスポイント１００とステーション２００との間で送受信される信号を中継し（Ｓ２４）、続いて、ＷＰＡシーケンスでアクセスポイント１００とステーション２００との間で送受信される信号を中継する（Ｓ２５）。以上の処理により、アクセスポイント１００とステーション２００との間の登録設定が完了し、以降無線中継装置３００を介した無線通信が可能となる。
【００４７】
図８は、無線中継装置３００を介したアクセスポイント１００とステーション２００との間の登録設定の動作の別の一例を示すシーケンスチャートである。
上記図７のシーケンスチャートでは、アクセスポイント１００の登録設定モードが検出された後に、ステーション２００の登録設定モードが検出された場合について説明した。これに対して、以下で説明する図８では、ステーション２００の登録設定モードが検出された後に、アクセスポイント１００の登録設定モードが検出された場合について説明する。
【００４８】
図８は、ステップＳ１６までの動作の流れは図７と同様であり、ステップＳ１６以降の動作の流れが一部図７と異なる。
ステップＳ１６の後に、ステーション２００において、登録設定を受け付けるトリガーであるユーザ操作が行われたとする（Ｓ１７）。
ステップＳ１７により、ＷＳＣ ＩＥとして、Selected Registrar = " TRUE "、PBC/PIN、Device Informationを含むプローブリクエストが送信される（Ｓ１８）。
【００４９】
ステップＳ１８を受けて、無線中継装置３００は、ステーション２００が登録設定モードであることを検出する（Ｓ１９）。
そして、ステップＳ１９の後に、アクセスポイント１００において、登録設定を受け付けるトリガーであるユーザ操作が行われたとする（Ｓ５）。
ステップＳ５により、ＷＳＣ ＩＥとして、Selected Registrar = " TRUE "と、PBC/PINとを含むビーコンが送信される（Ｓ６）。
【００５０】
ステップＳ６を受けて、無線中継装置３００は、アクセスポイント１００が登録設定モードであることを検出する（Ｓ７）。
ステップＳ７の後、即ち、無線中継装置３００において、アクセスポイント１００及びステーション２００のそれぞれの登録設定モード検出後、無線中継装置３００は、ステップＳ６のビーコンをステーション２００に転送し（Ｓ２０）、ステップＳ１８のプローブリクエストをアクセスポイント１００に転送する（Ｓ２１）。
【００５１】
以降（ステップＳ２２〜Ｓ２５）は図７と同様である。
以上の処理により、アクセスポイント１００とステーション２００との間の登録設定が完了し、以降無線中継装置３００を介した無線通信が可能となる。
図７及び図８で説明したように、本実施の形態の無線中継装置３００は、アクセスポイント１００及びステーション２００のそれぞれの登録設定モード検出後に、ビーコン及びプローブリクエストの転送と、ＷＰＳシーケンス及びＷＰＡシーケンスにおいて、アクセスポイント１００とステーション２００との間で送受信される信号の中継とを行う。
【００５２】
＜１−３．無線中継装置３００の動作＞
図９は、無線中継装置３００における、自身とアクセスポイント１００との間の登録設定の動作を示すフローチャートである。
先ず、自機器登録指示受付部３３０が、ユーザ操作による、自機器とアクセスポイント１００との間の登録指示を受け付けると（Ｓ１０１：ＹＥＳ）、信号生成部３８０は、ＷＳＣ ＩＥとして、Selected Registrar = " TRUE "、PBC/PIN、及びDevice Informationを含むプローブリクエスト生成し、そのプローブリクエストは送信部３１１により送信される（Ｓ１０２）。
【００５３】
続いて、受信部３１２が、アクセスポイント１００からのビーコンを受信すると（Ｓ１０３：ＹＥＳ）、信号解析部３９０は、ビーコンに含まれるSelected Registrarの識別子によりアクセスポイント１００は登録設定モードであるか否かを判断する。ここで、アクセスポイント１００が登録設定モードであると検出されれば（Ｓ１０４：ＮＯ）、ステップＳ１０３で受信されたビーコンは破棄され（Ｓ１０５）、ステップＳ１０３の処理に戻る。
【００５４】
一方、ステップＳ１０４において、信号解析部３９０が、アクセスポイント１００が登録設定モードであると検出し（Ｓ１０４：ＹＥＳ）、且つ、受信部３１２が、アクセスポイント１００からのプローブレスポンスを受信すると（Ｓ１０６：ＹＥＳ）、自機器登録処理部３４０は、ポート３１０を介して、アクセスポイント１００との間でＷＰＳシーケンスの処理（Ｓ１０７）及びＷＰＡシーケンスの処理（Ｓ１０８）を行う。
【００５５】
以上の動作により、アクセスポイント１００と無線中継装置３００との間の登録設定が完了し、以降アクセスポイント１００と無線中継装置３００との間の無線通信が可能となる。
図１０は、アクセスポイント１００と無線中継装置３００との間の登録設定後における、無線中継装置３００による、アクセスポイント１００とステーション２００との間の登録設定を中継する動作を示すフローチャートである。
【００５６】
先ず、ステーション登録中継指示受付部３５０が、ユーザ操作による、ステーション２００とアクセスポイント１００との間の登録設定の中継指示を受け付けたとする（Ｓ２０１：ＹＥＳ）。
続いて、受信部３１２で受信されたアクセスポイント１００のビーコンにおいて、信号解析部３９０は、ビーコンに含まれるSelected Registrarの識別子からアクセスポイント１００は登録設定モードであるか否かを判断する（Ｓ２０２）。
【００５７】
そして、信号解析部３９０は、アクセスポイント１００が登録設定モードであると検出したとする（Ｓ２０２：ＹＥＳ）。この場合、所定時間内に、受信部３１２がステーション２００からのプローブリクエストを受信し、且つ、信号解析部３９０が、ステーション２００が登録設定モードであると検出すれば（Ｓ２０３：ＹＥＳ）、ステーション登録中継処理部３６０は、ステップＳ２０２のビーコンをステーション２００に転送する処理を行い（Ｓ２０４）、ステップＳ２０３のプローブリクエストをアクセスポイント１００に転送する処理を行う（Ｓ２０５）。
【００５８】
なお、信号解析部３９０は、アクセスポイント１００の登録設定モードの判断と同様に、受信部３１２で受信されたステーション２００のプローブリクエストにおいて、プローブリクエストに含まれるSelected Registrarの識別子からステーション２００は登録設定モードであるか否かを判断する。
一方、ステップＳ２０３において、所定時間内に、受信部３１２がステーション２００からのプローブリクエストを受信しなかった場合や、プローブリクエストは受信したが、信号解析部３９０が、ステーション２００が登録設定モードであると検出しなければ（Ｓ２０３：ＮＯ）、ステップＳ２０２のビーコンは破棄され（Ｓ２０４）、ステップＳ２０２に戻る。
【００５９】
また、ステップＳ２０２において、信号解析部３９０が、アクセスポイント１００が登録設定モードであると検出せず（Ｓ２０２：ＮＯ）、ステーション２００のプローブリクエストから、ステーション２００が登録設定モードであると検出したとする（Ｓ２０７：ＹＥＳ）。この場合、所定時間内に、受信部３１２がアクセスポイント１００からのビーコンを受信し、且つ、信号解析部３９０が、アクセスポイント１００が登録設定モードであると検出すれば（Ｓ２０８：ＹＥＳ）、ステーション登録中継処理部３６０は、ステップＳ２０８のビーコンをステーション２００に転送する処理を行い（Ｓ２０９）、ステップＳ２０７のプローブリクエストをアクセスポイント１００に転送する処理を行う（Ｓ２１０）。
【００６０】
一方、ステップＳ２０８において、所定時間内に、受信部３１２がアクセスポイント１００からのビーコンを受信しなかった場合や、ビーコンは受信したが、信号解析部３９０が、アクセスポイント１００が登録設定モードであると検出しなかった場合は（Ｓ２０８：ＮＯ）、ステップＳ２０７のプローブリクエストは破棄され（Ｓ２１１）、ステップＳ２０２に戻る。
【００６１】
ステップＳ２０５の後、又は、ステップＳ２１０の後、受信部３１２でアクセスポイント１００からのプローブレスポンスが受信されると（Ｓ２１２：ＹＥＳ）、ステーション登録中継処理部３６０は、その受信されたプローブレスポンスをステーション２００に転送する処理を行う（Ｓ２１３）。
ステップＳ２１３の後、ステーション登録中継処理部３６０は、ＷＰＳシーケンスの処理及びＷＰＡシーケンスの処理において、アクセスポイント１００とステーション２００との間で送受信される信号を中継する（Ｓ２１４、Ｓ２１５）。
【００６２】
以上の動作により、アクセスポイント１００とステーション２００との間の登録設定が完了し、以降、無線中継装置３００の中継により、アクセスポイント１００とステーション２００との間の無線通信が可能となる。
本実施の形態によれば、無線通信に先立つアクセスポイント１００とステーション２００との間の登録設定を、無線中継装置３００が中継して行うことが可能となる。そのため、従来のように、登録設定のためにステーション２００をアクセスポイントに近づける必要がなく、ユーザは容易に登録設定を行うことが可能となる。
【００６３】
＜１−４．変形例（その１）＞
図７のシーケンスチャートに示した、無線中継装置３００を介したアクセスポイント１００とステーション２００との間の登録設定の動作を、図１１のシーケンスチャートに示すように変形してもよい。
図７では、アクセスポイント１００の登録設定モード検出（Ｓ７）、及び、ステーション２００の登録設定モード検出（Ｓ１９）の後に、ビーコンの転送（Ｓ２０）及びプローブリクエストの転送（Ｓ２１）を行うとした。
【００６４】
これに対して、図１１は、アクセスポイント１００の登録設定モード検出（Ｓ７）の後、ステーション２００の登録設定モード検出を待たずに、ステップＳ６のビーコンをステーション２００に転送する（Ｓ２０Ａ）。そして、その転送されたビーコンは、ステーション２００が登録設定モードでなければ、ステーション２００で破棄される（Ｓ３０）。
アクセスポイント１００はビーコンを周期的に送信する。そのため、図１１に示すように、無線中継装置３００は、ステーション２００の登録設定モード検出を待たずに当該ビーコンの転送を行い、ステーション２００は自身が登録設定モードでなければ当該ビーコンを破棄するとしてもよい。
【００６５】
なお、図８は図７の動作の別の一例を示すシーケンスチャートであるため、図８の動作も上述した変形と同様に変形してもよい。
即ち、図８のシーケンスチャートに示した、無線中継装置３００を介したアクセスポイント１００とステーション２００との間の登録設定の動作を、図１２のシーケンスチャートに示すように変形してもよい。
【００６６】
図８では、ステーション２００の登録設定モード検出（Ｓ１９）、及び、アクセスポイント１００の登録設定モード検出（Ｓ７）の後に、ビーコンの転送（Ｓ２０）及びプローブリクエストの転送（Ｓ２１）を行うとした。
これに対して、図１２は、ステーション２００の登録設定モード検出（Ｓ１９）の後、アクセスポイント１００の登録設定モード検出を待たずに、ステップＳ１８のプローブリクエストをアクセスポイント１００に転送する（Ｓ２１Ａ）。そして、アクセスポイント１００は、プローブレスポンス（Ｓ３１）を返す。ステップＳ３１を受けて、無線中継装置３００は、アクセスポイント１００が登録設定モードでないため、ステップＳ３１で受信したプローブレスポンスを破棄する（Ｓ３２）。
【００６７】
ステーション２００はプローブリクエストを周期的に送信する。そのため、図１２に示すように、無線中継装置３００は、アクセスポイント１００の登録設定モード検出を待たずに当該プローブリクエストを転送してもよい。
なお、図１２では、ステップＳ３１のプローブレスポンスの時点で、アクセスポイント１００が登録設定モードでないとしたが、これに限定されず、アクセスポイント１００が登録設定モードである場合も想定される。その場合、先ず、図１２と同様、無線中継装置３００は、アクセスポイント１００が送信するビーコン（Ｓ６）によるアクセスポイント１００の登録設定モード検出（Ｓ７）前に、ステーション２００が送信するプローブリクエストを転送する（Ｓ２１Ａ）。そして、ステップＳ２１Ａの後、無線中継装置３００は、アクセスポイント１００が登録設定モードであれば、アクセスポイント１００が送信するプローブレスポンスによって、即ちプローブレスポンスに含まれるSelected Registrar = " TRUE "によって、アクセスポイント１００の登録設定モードを検出してもよい。
【００６８】
このように、無線中継装置３００は、アクセスポイント１００が送信するプローブレスポンスに含まれるSelected Registrarの識別子から、アクセスポイント１００は登録設定モードであるか否かを判断するとしてもよい。
＜１−５．変形例（その２）＞
上記実施の形態では、無線中継装置３００は、アクセスポイント１００とステーション２００との間の登録設定の動作において、プローブリクエストの転送（図７、８、及び１１ではＳ２１、図１２ではＳ２１Ａ）と、プローブレスポンスの転送（Ｓ２２、Ｓ２３）とを行うとしたが、これに限定されない。当該動作を例えば図１３に示す動作としてもよい。
【００６９】
図１３において、ステーション２００は、プローブリクエストを送信せず、アクセスポイントのビーコンを受信して、所望のアクセスポイントに登録設定するステーション（パッシブスキャンのステーション）であるとする。無線中継装置３００は、アクセスポイント１００の登録設定モード検出（Ｓ７）の後、アクセスポイント１００のビーコンを転送する（Ｓ２０）。続いて、無線中継装置３００は、ステーション２００がステップＳ２０のビーコンを受けて送信した、アクセスポイント１００宛の認証要求（Authentication Request）を受信する（Ｓ２６）。ここで、無線中継装置３００は、ステーション２００から受信した認証要求の宛先（ＤＡ：Destination Address）を参照して、ステーション２００が登録設定モードであるか否かを判断する。ステップＳ２６の認証要求の宛先はアクセスポイント１００であるため（"DA:AP 100"）、無線中継装置３００は、ステーション２００の登録設定モードであることを検出する（Ｓ２７）。続いて、無線中継装置３００は、ステーション２００が送信した認証要求をアクセスポイント１００に転送し（Ｓ２８）、その後、ステップＳ２９のＷＰＳシーケンスの処理に移行される。なお、ステップＳ２９のＷＰＳシーケンスの処理は、例えば図１２に示したステップＳ２４のＷＡＳシーケンスの処理から、ステーション２００によるアクセスポイント１００への認証要求を除いたものである。
【００７０】
補足すると、ＷＰＳシーケンス及びＷＰＡシーケンスではともに、先ず、登録設定機器間での認証要求／応答、及び、アソシエーション（Association）要求／応答が行われる。つまり、本変形例のアクセスポイント１００とステーション２００との間の登録設定の動作では、無線中継装置３００によってプローブリクエストは転送されずに、ＷＰＳシーケンスの認証要求／応答に移行されるとしてもよい。
【００７１】
＜１−５．変形例（その３）＞
上記実施の形態において、無線中継装置３００は自機器登録指示受付部３３０を備え、アクセスポイント１００とステーション２００との間の登録設定中継のユーザ指示を受け付けて登録設定中継処理を行うとしたが、これに限定されない。無線中継装置３００から自機器登録指示受付部３３０を除き、信号解析部３９０により、アクセスポイント１００及びステーション２００の登録設定モードを自動検出して、アクセスポイント１００とステーション２００との間の登録設定を中継する処理を行うとしてもよい。
【００７２】
≪第２の実施の形態≫
本実施の形態２では、アクセスポイントとステーションとの間の登録設定を無線中継装置が中継する際に、アクセスポイントと無線中継装置との間の通信信号に暗号化を施すことで、登録設定時のセキュリティー性の向上を図る。
以下、本発明の実施の形態２について、図面を参照しつつ説明する。上記実施の形態１と実質的に同じ処理を行う構成要素及び処理ステップには同じ符号を付しその説明を省略する。
【００７３】
＜２−１．構成＞
図１４は、本実施の形態２のアクセスポイント４００の構成図であり、図１５は、本実施の形態２の無線中継装置５００の構成図である。
本実施の形態２の無線通信システム（不図示）は、上記実施の形態１の無線通信システム１において、アクセスポイント１００をアクセスポイント４００に置き換え、無線中継装置３００を無線中継装置５００に置き換えたものである。
【００７４】
図１４に示すアクセスポイント４００は、上記実施の形態１のアクセスポイント１００において、登録処理部１４０を登録処理部４１０に置き換えたものである。
登録処理部４１０は、登録処理部１４０と同様に、無線中継装置５００との間の登録設定に関する処理として、ＷＰＳシーケンス及びＷＰＡシーケンスの内のアクセスポイント４００側が行う処理を行う。
【００７５】
また、登録処理部４１０は、無線中継装置５００を介したステーション２００との間の登録設定に関する処理としても、ＷＰＳシーケンス及びＷＰＡシーケンスの内のアクセスポイント４００側が行う処理を行う。但し、登録処理部４１０は暗号部４１１を備え、暗号部４１１は、ステーション２００との間の登録設定に関する処理において、無線中継装置５００とアクセスポイント４００との間でやり取りするＷＰＳシーケンス及びＷＰＡシーケンスの各種メッセージに対して、暗号化（復号化）処理を施す機能を有する。具体的には、無線中継装置５００へ送信する各種メッセージには暗号化処理を施し、無線中継装置５００から受信した各種メッセージには復号化処理を施す。
【００７６】
図１５に示す無線中継装置５００は、上記実施の形態１の無線中継装置３００において、ステーション登録中継処理部３６０をステーション登録中継処理部５１０に置き換えたものである。
ステーション登録中継処理部５１０は暗号部５１１を備え、アクセスポイント１００とステーション２００との間の登録設定を中継する処理を行う機能を有する。
【００７７】
暗号部５１１は、無線中継装置５００とアクセスポイント４００との間でやり取りするＷＰＳシーケンス及びＷＰＡシーケンスの各種メッセージに対して、暗号化（復号化）処理を施す機能を有する。具体的には、ステーション２００から取得した各種メッセージに対して暗号化処理を施し、アクセスポイント４００から取得した各種メッセージに対して復号化処理を施す。
【００７８】
なお、アクセスポイント４００の登録処理部４１０が備える暗号部４１１と、無線中継装置５００のステーション登録中継処理部５１０が備える暗号部５１１とにおいて、共通の暗号化（復号化）規則を予め共有しておくものとする。例えば、アクセスポイント４００と無線中継装置５００との間の登録設定完了後に当該規則を共有する処理を行ってもよいし、両者間の登録設定処理に当該規則を共有する処理を組み込んでもよい。
【００７９】
＜２−２．動作＞
本実施の形態２の無線通信システムの登録設定に関する一連の動作について説明する。
本実施の形態２において、アクセスポイント４００と無線中継装置５００との間の登録設定の動作は、上記実施の形態１におけるアクセスポイント１００と無線中継装置３００との間の登録設定の動作（図６）と同様である。
【００８０】
但し、本実施の形態２において、無線中継装置５００を介したアクセスポイント４００とステーション２００との間の登録設定の動作の一部が、上記実施の形態１における無線中継装置３００を介したアクセスポイント１００とステーション２００との間の登録設定の動作（図８又は図９）と異なる。
図１６は、本実施の形態２において、無線中継装置５００を介したアクセスポイント４００とステーション２００との間の登録設定の動作を示すシーケンスチャートである。ステップＳ２３までの動作は、上記実施の形態１の図８又は図９に示す動作と同様である。
【００８１】
図１６に示すように、ステップＳ２３の後、無線中継装置５００は、ＷＰＳシーケンスの処理においてアクセスポイント４００とステーション２００との間で送受信される信号を中継し（Ｓ２４Ａ、Ｓ２４Ｂ）、続いて、ＷＰＡシーケンスの処理においてアクセスポイント４００とステーション２００との間で送受信される信号を中継する（Ｓ２４Ａ、Ｓ２５Ｂ）。
【００８２】
具体的には、アクセスポイント４００は、アクセスポイント４００から無線中継装置５００へ送信する各種メッセージに暗号化処理を施して送信し、無線中継装置５００は、ステーション２００へ各種メッセージを送信するために、アクセスポイント４００で暗号化処理が施された各種メッセージに復号化処理を施す（Ｓ２４Ａ、Ｓ２５Ａ）。そして、復号化処理を施した各種メッセージをステーション２００に送信する（Ｓ２４Ｂ、Ｓ２５Ｂ）。また、無線中継装置５００は、ステーション２００から各種メッセージを受信する（Ｓ２４Ｂ、Ｓ２５Ｂ）。そして、受信した各種メッセージに暗号化処理を施してアクセスポイント４００へ送信し、アクセスポイント４００は、無線中継装置５００で暗号化処理が施された各種メッセージに復号化処理を施す（Ｓ２４Ａ、Ｓ２５Ａ）。
【００８３】
本実施の形態２によれば、アクセスポイント４００とステーション２００との間の登録設定を無線中継装置５００が中継する際に、セキュリティー性の向上が可能となる。
≪第３の実施の形態≫
本実施の形態３では、無線中継装置がアクセスポイントに代わって、アクセスポイントとステーションとの間の登録設定を行う。
【００８４】
以下、本発明の実施の形態３について、図面を参照しつつ説明する。上記各実施の形態と実質的に同じ処理を行う構成要素及び処理ステップには同じ符号を付しその説明を省略する。
＜３−１．構成＞
図１７は、本実施の形態３のアクセスポイント６００の構成図であり、図１８は、本実施の形態３の無線中継装置７００の構成図である。
【００８５】
本実施の形態３の無線通信システム（不図示）は、上記実施の形態１の無線通信システム１において、アクセスポイント１００をアクセスポイント６００に置き換え、無線中継装置３００を無線中継装置７００に置き換えたものである。
図１７に示すアクセスポイント６００は、上記実施の形態１のアクセスポイント１００において、登録処理部１４０を登録処理部６１０に置き換え、更にステーション登録情報取得部６２０を追加したものである。
【００８６】
登録処理部６１０は、登録処理部１４０と同様に、無線中継装置７００との間の登録設定に関する処理として、ＷＰＳシーケンス及びＷＰＡシーケンスの内のアクセスポイント６００側が行う処理を行う。
また、登録処理部６１０は、無線中継装置７００に対して、自身に代わってステーション２００との間の登録設定に関する処理（登録設定の代理処理）を行わせる。具体的には、無線中継装置７００に対して、その代理処理の指示と、代理処理に用いる情報の提供を行う。
【００８７】
ステーション登録情報取得部６２０は、無線中継装置７００から、ステーション２００との間の登録設定に関する情報を取得する機能を有する。
図１８に示す無線中継装置７００は、上記実施の形態１の無線中継装置３００において、ステーション登録中継処理部３６０をステーション登録処理部７１０に置き換えたものである。
【００８８】
ステーション登録処理部７１０は、アクセスポイント６００に代わって、アクセスポイント６００とステーション２００との間の登録設定の代理処理を行う機能と有する。具体的には、アクセスポイント６００から、代理処理に用いる情報を取得し、代理処理として、ＷＰＳシーケンス及びＷＰＡシーケンスの内のアクセスポイント６００側が行うはずの処理をアクセスポイント６００に代わって行う。そして、代理処理完了後、ステーション２００の登録設定に関する情報をアクセスポイント６００に提供する。
【００８９】
＜３−２．動作＞
本実施の形態３の無線通信システムの登録設定に関する一連の動作について説明する。
本実施の形態３において、アクセスポイント６００と無線中継装置７００との間の登録設定の動作は、上記実施の形態１におけるアクセスポイント１００と無線中継装置３００との間の登録設定の動作（図６）と同様である。
【００９０】
但し、本実施の形態３において、無線中継装置７００を介したアクセスポイント６００とステーション２００との間の登録設定の動作の一部が、上記実施の形態１における無線中継装置３００を介したアクセスポイント１００とステーション２００との間の登録設定の動作（図８又は図９）と異なる。
図１９は、本実施の形態３において、無線中継装置７００を介したアクセスポイント６００とステーション２００との間の登録設定の動作を示すシーケンスチャートである。ステップＳ２０までの動作は、上記実施の形態１の図８又は図９に示す動作と同様である。
【００９１】
図１９に示すように、ステップＳ２０の後、無線中継装置７００は、アクセスポイント６００に対してステーション２００の登録設定モード検出を通知する（Ｓ５１）。
ステップＳ５１を受けて、アクセスポイント６００は無線中継装置７００に対して、ステーション２００との間の登録設定の代理処理の指示を行い、その代理処理に用いる情報を提供する（Ｓ５２）。
【００９２】
ステップＳ５２を受けて、無線中継装置７００は、ステーション２００との間でＷＰＳシーケンスの処理を行い（Ｓ５３）、続いて、ＷＰＡシーケンスの処理を行う（Ｓ５４）。
ステップＳ５４の後、無線中継装置７００はアクセスポイント６００に対して、ステーション２００の登録設定に関する情報を提供する（Ｓ５５）。
【００９３】
以上の動作により、アクセスポイント６００とステーション２００との間の登録設定が完了し、以降無線中継装置７００を介した無線通信が可能となる。
本実施の形態３によれば、アクセスポイント６００に代わって、無線中継装置５００がアクセスポイント６００とステーション２００との間の登録設定を行うことにより、無線中継装置５００による信号中継処理が少なくなり、当該登録設定の高速化が期待できる。
【００９４】
≪４．補足（その１）≫
本発明は上記の実施の形態及び変形例で説明した内容に限定されず、例えば、以下であってもよい。
（１）上記各実施の形態及び変形例はＷｉ−Ｆｉに限定されず、様々な無線通信に対して適用可能である。
【００９５】
（２）上記各実施の形態及び変形例の接続設定手段はＷＰＳに限定されず、様々な接続設定のプロトコルが用いられてもよい。
（３）上記各実施の形態及び変形例の暗号方式はＷＰＡに限定されず、様々な暗号方式は用いられてもよい。例えば、ＷＥＰ(Wired Equivalent Privacy)やＷＰＡ２が用いられてもよい。
【００９６】
（４）上記各実施の形態及び変形例などで示した各装置の各構成要素は、集積回路であるＬＳＩ（Ｌａｒｇｅ  Ｓｃａｌｅ  Ｉｎｔｅｇｒａｔｉｏｎ）で実現してもよい。このとき、各構成要素は、個別に１チップ化されてもよいし、一部もしくは全てを含むように１チップ化されてもよい。また、ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限るものではなく、専用回路又は汎用プロセサで実現してもよい。ＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセサを利用してもよい。さらに、半導体技術の進歩又は派生する別技術によりＬＳＩに置き換わる集積回路化の技術が登場すれば、当然その技術を用いて機能ブロックの集積化を行ってもよい。
【００９７】
（５）上記各実施の形態及び変形例などで示した各装置の動作の手順の少なくとも一部をプログラムに記載し、例えばＣＰＵ（Ｃｅｎｔｒａｌ  Ｐｒｏｃｅｓｓｉｎｇ  Ｕｎｉｔ）がメモリに記憶された当該プログラムを読み出して実行するようにしてもよいし、上記プログラムを記録媒体に保存して頒布等するようにしてもよい。
（６）上記各実施の形態、変形例及び補足などにおいて説明した内容を適宜組み合わせてもよい。
【００９８】
≪５．補足（その２）≫
上記各実施の形態、変形例及び補足（その１）に係る無線中継装置、無線中継方法、プログラムについてまとめる。
（１）第１の無線中継装置は、通信端末である親局及び子局のそれぞれと無線通信ネットワークを介して信号の送受信を行う無線通信部と、無線通信ネットワークにおいて前記親局と前記子局との間で無線通信を行うための登録設定に関する情報を中継する登録中継処理を行うプロセッサとを備え、前記プロセッサは、前記無線通信部が、前記親局が前記子局からの登録設定を受け付け可能な状態であることを示す第１信号を前記親局から受信した場合、前記親局が登録設定モードであることを検出し、前記無線通信部が、前記子局が前記親局に対して前記登録設定を要求していることを示す第２信号を前記子局から受信した場合、前記子局が登録設定モードであることを検出し、前記親局及び前記子局の両方が前記登録設定モードであること検出した場合に、前記無線通信部を介して、前記第１信号を前記子局に送信し、前記第２信号を前記親局に送信する、ことを特徴とする。
【００９９】
第１の無線中継装置によれば、親局と子局との間の無線通信に先立つ登録設定を容易に行うことが可能となる。
（２）第２の無線中継装置は、第１の無線中継装置において、前記プロセッサは、前記親局の登録設定モードを検出した後、所定時間内に前記子局の登録設定モードを検出したとき、前記登録中継処理を行う、としてもよい。
【０１００】
第２の無線中継装置によれば、親局の登録設定モードの検出と、子局の登録設定モードの検出とに、時間間隔あってもそれが許容範囲内であれば、登録中継処理を行うことが可能となる。
（３）第３の無線中継装置は、第１の無線中継装置において、前記プロセッサは、前記子局の登録設定モードを検出した後、所定時間内に前記親局の登録設定モードを検出したときに、前記登録中継処理を行う、としてもよい。
【０１０１】
第３の無線中継装置によれば、親局の登録設定モードの検出と、子局の登録設定モードの検出とに、時間間隔あってもそれが許容範囲内であれば、登録中継処理を行うことが可能となる。
（４）第４の無線中継装置は、第１の無線中継装置において、更に、前記登録中継処理開始のユーザ指示を受け付けるユーザ指示受付部を備え、前記プロセッサは、前記登録中継処理を、前記ユーザ指示受付部において前記ユーザ指示が受け付けられ、且つ、前記親局及び前記子局の登録設定モードを検出した場合に行う、としてもよい。
【０１０２】
第４の無線中継装置によれば、登録中継処理開始のユーザ指示を受け付けた後に、登録中継処理が可能となる。ユーザの意図しない登録中継処理が行われることを避けることが可能となる。
（５）第５の無線中継装置は、第１の無線中継装置において、前記無線通信はIEEE802.11無線LAN標準規格である、としてもよい。
【０１０３】
（６）第６の無線中継装置は、第５の無線中継装置において、前記登録設定に、Wi-Fi (Wireless Fidelity)アライアンス規定のWPS (Wi-Fi Protected Setup)を用いる、としてもよい。
（７）無線中継方法は、無線通信端末である親局と子局との間の無線通信を中継する無線中継装置が行う無線中継方法であって、前記親局及び前記子局のそれぞれと無線通信ネットワークを介して信号の送受信を行い、無線通信ネットワークにおいて前記親局と前記子局との間で無線通信を行うための登録設定に関する情報を中継する登録中継処理を行い、前記登録中継処理において、前記親局が前記子局からの登録設定を受け付け可能な状態であることを示す第１信号が前記親局から受信された場合、前記親局が登録設定モードであることを検出し、前記子局が前記親局に対して前記登録設定を要求していることを示す第２信号が前記子局から受信された場合、前記子局が登録設定モードであることを検出し、前記親局及び前記子局の両方が前記登録設定モードであること検出した場合に、前記第１信号を前記子局に送信させ、前記第２信号を前記親局に送信させる、ことを特徴とする。
【０１０４】
（８）プログラムは、無線通信端末である親局と子局との間の無線通信を中継する無線中継装置によって行われるプログラムであって、前記親局及び前記子局のそれぞれと無線通信ネットワークを介して信号の送受信を行い、無線通信ネットワークにおいて前記親局と前記子局との間で無線通信を行うための登録設定に関する情報を中継する登録中継処理を行い、前記登録中継処理において、前記親局が前記子局からの登録設定を受け付け可能な状態であることを示す第１信号が前記親局から受信された場合、前記親局が登録設定モードであることを検出し、前記子局が前記親局に対して前記登録設定を要求していることを示す第２信号が前記子局から受信された場合、前記子局が登録設定モードであることを検出し、前記親局及び前記子局の両方が前記登録設定モードであること検出した場合に、前記第１信号を前記子局に送信させ、前記第２信号を前記親局に送信させる、ことを特徴とする。
【０１０５】
無線中継方法及びプログラムのそれぞれによれば、親局と子局との間の無線通信に先立つ登録設定を容易に行うことが可能となる。
【産業上の利用可能性】
【０１０６】
本発明は、無線通信システムにおいて無線中継装置を設ける場合の無線通信に先立つ登録設定に利用可能である。また、無線通信を実施する様々な施設やエリアにおいて利用可能である。
【符号の説明】
【０１０７】
１  無線通信システム
１０  ブロードバンドルータ
１１  アクセスポイント
１２  ステーション
１３  無線中継装置
２０  インターネット
１００、４００、６００  アクセスポイント
１１０、２１０、３１０  ポート
１１１、２１１、３１１  送信部
１１２、２１２、３１２  受信部
１２０、２２０、３２０  アンテナ
１３０、２３０  登録指示受付部
１４０、２４０、４１０、６１０  登録処理部
１５０、２５０、３８０  信号生成部
１６０、２６０、３９０  信号解析部
２００  ステーション
３００、５００、７００  無線中継装置
３３０  自機器登録指示受付部
３４０  自機器登録処理部
３５０  ステーション登録中継指示受付部
３６０、５１０  ステーション登録中継処理部
３７０  中継処理部
４１１、５１１  暗号部
６２０  ステーション登録情報取得部
７１０  ステーション登録処理部
【図１】
0006277522.tif 000002
【図２】
0006277522.tif 000003
【図３】
0006277522.tif 000004
【図４】
0006277522.tif 000005
【図５】
0006277522.tif 000006
【図６】
0006277522.tif 000007
【図７】
0006277522.tif 000008
【図８】
0006277522.tif 000009
【図９】
0006277522.tif 000010
【図１０】
0006277522.tif 000011
【図１１】
0006277522.tif 000012
【図１２】
0006277522.tif 000013
【図１３】
0006277522.tif 000014
【図１４】
0006277522.tif 000015
【図１５】
0006277522.tif 000016
【図１６】
0006277522.tif 000017
【図１７】
0006277522.tif 000018
【図１８】
0006277522.tif 000019
【図１９】
0006277522.tif 000020
【図２０】
0006277522.tif 000021